(57)【特許請求の範囲】
【請求項１】
各ユーザ数およびトラフィック量のいずれか又は双方に関する情報に基づいて、下りリンク共有データチャネル情報を送信するビット数を決定するステップと、
決定した前記ビット数で送信すべき下りリンク共有データチャネル情報の信号を生成するステップと、
を有し、前記ビット数を決定するステップにおいて、下りリンク共有データチャネル情報の送信に適した第１のビット数と、上りリンク共有データチャネル情報の送信に適した第２のビット数とを含む選択肢の中で前記ビット数を決定する、通信制御方法。
【請求項２】
前記第１のビット数が、ユーザが割り当てられたリソースブロックを示すリソースブロック割り当て情報と、ユーザ情報と、データ変調方法示すトランスポートフォーマット情報との少なくとも一つに基づいて決定される、請求項１に記載の通信制御方法。
【請求項３】
前記ビット数を決定するステップにおいて前記第２のビット数に決定された場合に、前記生成するステップにおいて、下りリンク共有データチャネル情報を前記第２のビット数で送信することを示す情報を付加する、請求項１又は２に記載の通信制御方法。
【請求項４】
各ユーザ数およびトラフィック量のいずれか又は双方に関する情報に基づいて、下りリンク共有データチャネル情報を送信するビット数を決定するスケジューラ
を有し、前記スケジューラが、下りリンク共有データチャネル情報の送信に適した第１のビット数と、上りリンク共有データチャネル情報の送信に適した第２のビット数とを含む選択肢の中で前記ビット数を決定する、基地局。
【請求項５】
前記第１のビット数が、ユーザが割り当てられたリソースブロックを示すリソースブロック割り当て情報と、ユーザ情報と、データ変調方法示すトランスポートフォーマット情報との少なくとも一つに基づいて決定される、請求項４に記載の基地局。
【請求項６】
決定された前記ビット数を前記スケジューラから入力し、入力されたビット数が前記第２のビット数である場合に、前記下りリンク共有データチャネル情報を前記第２のビット数で送信することを示す情報を付加するチャネル生成部を更に備える、請求項４又は５に記載の基地局。
【発明の詳細な説明】
【技術分野】
【０００１】
本発明は、下り制御チャネルの送信を制御する通信制御方法、およびこれが適用される基地局に関する。
【背景技術】
【０００２】
３ＧＰＰ（Third Generation Partnership Project：第３世代携帯電話システムの仕様およびその作成に関するプロジェクト）の枠組みのなかで、下りリンク共有データ情報、上りリンク共有データ情報、ページング情報、ランダムアクセスチャネル情報、ダイナミック報知チャネル情報、および電力制御コマンドなどが下り制御チャネルで送信されることが予定されている。
【非特許文献１】3GPP TR 25.814 (2006-09) Physical layer aspect for evolved Universal Terrestrial Radio Access (UTRA)、［online］、［平成１９年８月１４日検索］、インターネット〈URL : http://www.3gpp.org/ftp/Specs/html-info/25814.htm〉
【発明の開示】
【発明が解決しようとする課題】
【０００３】
上記の情報の中で、たとえば、下りリンク共有データ情報は多くのビット数で送信する必要がある一方、上りリンク共有データ情報は、下りリンク共有データに比べると少ないビット数で送信することが可能である。このように、これらの情報が互いに異なるビット数で送信されることとなると、最大で６種類のビット数が存在することとなる。
【０００４】
このような状況のもと、移動局がこれらの情報を読み取る場合には、すべてのビットについてブラインド検出を行う必要がある。また、各情報についてビット数を統一することにより読み取りを容易にしようとすれば、オーバヘッドを増加したりダミービットを付加することによって最大ビット数に合わせる必要があり、無線リソースが無駄となる。さらに、移動局において、ビット数の種類と同数の方法により、これらの情報を読み取るとすれば、移動局での受信処理の複雑化、移動局の構成の複雑化といった問題が生じる。
【０００５】
そこで、本発明は、下り制御チャネルで送信する諸情報のビット数の種類を低減する方法、この方法が適用される基地局を提供することを目的とする。
【課題を解決するための手段】
【０００６】
上記目的の実現のため、本発明の第１の態様は、各ユーザ数およびトラフィック量のいずれか又は双方に関する情報に基づいて、下りリンク共有データチャネル情報を送信するビット数を決定するステップと、決定したビット数で送信すべき下りリンク共有データチャネル情報の信号を生成するステップと、を有する通信制御方法を提供する。
【０００７】
本発明の第２の態様は、各ユーザ数およびトラフィック量のいずれか又は双方に関する情報に基づいて、下りリンク共有データチャネル情報を送信するビット数を決定するよう構成されるスケジューラを有する基地局を提供する。
【発明の効果】
【０００８】
本発明によれば、下り制御チャネルで送信する諸情報のビット数の種類を低減する方法、この方法が適用される基地局が提供される。
【発明を実施するための最良の形態】
【０００９】
以下、添付図面を参照しながら、本発明の実施形態を説明する。 
＜第１の実施形態＞
本発明の第１の実施形態にかかる基地局について説明する。 
図１は、本発明による基地局の構成を示す要部ブロック図である。図示のとおり、基地局１０は、スケジューラ１２、制御チャネル生成部１４、バッファ１６、符号化部１８、変調部２０、および多重化部２２を有する。
【００１０】
スケジューラ１２は、各ユーザの受信品質、パケットサイズ、およびトラフィック量などの情報を入力し、これらの情報に基づいて、各ユーザに対して無線リソースをどのように割り当てるかを決定する。また、スケジューラ１２は、そのような情報に基づいて、どのくらいの数のユーザ（移動局）を多重するかを決定する。これに併せて、スケジューラ１２は、ユーザ数若しくはトラフィック量または双方に基づいて、下りリンク共有データチャネル情報を送信するのに必要なビット数を選択する。具体的には、スケジューラ１２は、下りリンク共有データチャネル情報を送るのに最適なビット数（たとえば、８０ビット）か、または、たとえば、上りリンク共有データチャネル情報を送るのに最適なビット数（下りリンク共有データチャネル情報を送るのに最適なビット数より少ないビット数であって、たとえば、４０ビット）か、を選択してよい。
【００１１】
なお、下りリンク共有データチャネル情報を送るのに最適なビット数は、ユーザが割り当てられたリソースブロックを示すリソースブロック割り当て情報（Downlink Resource Block assignment information）、ユーザ情報（User ID）、およびデータ変調方法などを示すトランスポートフォーマット情報（Transport format Information）のいずれか一つに基づいて決定されて良い。また、これらの情報に加えて、分散送信情報（Distributed transmission）、上りリンクの送信電力制御情報（Uplink Transmission Power Control Information）、および再送要求信号誤り検出型ハイブリッドＡＲＱ関連情報（Hybrid ARQ-related Information）などを考慮に入れて決定しても良い。さらに、このビット数は、周波数帯域幅を考慮して決定されても良い。
【００１２】
さらに、スケジューラ１２は、決定した割り当てを示す情報（割り当て情報）と、選択したビット数（ビット数情報）とを制御チャネル生成部１４へ出力し、多重すべきユーザの数を示す情報（多重化情報）を多重化部２２へ出力する。
【００１３】
制御チャネル生成部１４は、スケジューラ１２から入力した割り当て情報とビット数情報に基づいて、制御チャネルを生成し、生成した制御チャネルを多重化部２２へ出力する。
【００１４】
なお、スケジューラ１２が下りリンク共有データチャネル情報を上りリンク共有データチャネル情報のビット数で送信すると決定した場合、下りリンク共有データチャネル情報と、上りリンク共有データチャネル情報とを同じビット数で送られることとなる。これらを区別するため、下りリンク共有データチャネル情報が上りリンク共有データチャネル情報のビット数で送信される旨を示す情報を下りリンク共有データチャネル情報に含めると好ましい。また、区別をより確実にするため、同時に、上りリンク共有データチャネル情報に別の情報を付加するようにしても良い。
【００１５】
ユーザ毎に設けられたバッファ１６（１６Ａ，１６Ｂ，・・・１６Ｚ）に格納された各ユーザに送信されるべきユーザ情報が、バッファ１６Ａ，１６Ｂ，・・・１６Ｚに対応した符号化部１８Ａ，１８Ｂ，・・・１８Ｚへ入力されて符号化される。符号化された各ユーザ情報（符号化ユーザ情報）は、符号化部１８Ａ，１８Ｂ，・・・１８Ｚに対応した変調部２０Ａ，２０Ｂ，・・・２０Ｚへ入力される。変調部は、入力した各符号化ユーザ情報に対して所定の処理を行い、各変調ユーザ情報を生成し、これを多重化部２２へ出力する。
【００１６】
多重化部２２は、各変調ユーザ情報を各変調部２０Ａ，２０Ｂ，・・・２０Ｚから入力すると、これらのうちの所定の数の変調ユーザ情報を、スケジューラ１２から入力された多重化情報に基づいて多重化する。また、多重化部２２は、ユーザ情報の多重化とともに、制御チャネル生成部１４から入力した制御チャネルをも併せて多重化し、送信すべき信号を生成する。この信号は、ＲＦ送信回路、電力増幅器、デュプレクサなど（いずれも図示せず）を経て送信される。
【００１７】
上記の構成によれば、ユーザ数若しくはトラフィック量または双方に基づいて、下りリンク共有データチャネル情報が、上りリンク共有データチャネル情報を送るのに最適なビット数で生成されるため、ビット数の種類が低減される。
＜第２の実施形態＞
次に、本発明の第２の実施形態にかかる通信制御方法を説明する。 
図２は、本発明による通信制御方法を示すフローチャートである。この方法は、ステップＳ２１において、多重すべきユーザ数（多重数）の多少とユーザトラフィック量の多少とのいずれか又は双方（図２では、ユーザ数のみ記載する）が判定される。 
たとえば多重化すべきユーザ数が少ないと判定された場合は（ステップＳ２１：ＮＯ）、下りリンク共有データチャネル情報の送信に用いるビット数として、サイズＡが選択される（ステップＳ２５）。サイズＡは、下りリンク共有データチャネル情報を送信するに最適なビット数に対応し、たとえば、８０ビットである。たとえば、ユーザ情報が音声情報である場合は、多重数を多くすべきであり、その場合は、少ないビット数が選択されると好ましい。
【００１８】
なお、上記の８０ビットは一例にすぎず、５０ビットであっても良い。また、このビット数は、第１の実施形態による基地局のスケジューラ１２に関して説明したように決定されて良い。
【００１９】
続いて、ステップＳ３１において、サイズＡのビット数で下りリンク共有データチャネル情報に対応する信号が生成され、ステップＳ３３において符号化される。
【００２０】
一方、たとえば、多重化すべきユーザ数が多いと判定された場合は（ステップＳ２１：ＹＥＳ）、ビット数として、サイズＢが選択される（ステップＳ２３）。サイズＢは、たとえば、下りリンク共有データチャネル情報よりも情報量の少ない上りリンク共有データチャネル情報を送信するに最適なビット数であってよく、たとえば、４０ビットである。ただし、このビット数は、第１の実施形態による基地局のスケジューラ１２に関して説明したように決定されて良い。
【００２１】
次いで、ステップＳ２７において、ユーザの割り当て、すなわち、どのユーザを多重化するかが決定される。次に、ステップＳ２９において、サイズＢのビット数で下りリンク共有データチャネル情報に対応する信号が生成される。
【００２２】
このとき、この信号には、たとえば「１」のビットが追加される。これは、上りリンク共有データチャネル情報（後述）との区別のためである。この場合、基地局から送信される制御チャネルに含まれる下りリンク共有データチャネル情報と、上りリンク共有データチャネル情報とは、同じくサイズＢのビット数を有するため、ユーザは、ビット数のみでは、いずれの情報であるかを判断することができない。追加の「１」ビットは、両者を区別するための指標として利用される。
【００２３】
また、ステップＳ２９において、下りリンク共有データチャネル情報に対応する信号と、多重化されることが決定したユーザのユーザ情報とが多重化されて、送信すべき信号が生成される。生成された信号は、ステップＳ３５において、符号化される。
【００２４】
なお、制御チャネルに含まれる上りリンク共有データ情報に対応する信号は、ステップＳ４１において、当該情報を送信するに適したサイズＢのビット数で生成され、ステップＳ３５において、下りリンク共有データチャネル情報に対応する信号等とともに、符号化される。また、ステップＳ２１およびＳ２３において、下りリンク共有データチャネル情報のビット数として、上り共有データチャネル情報のビット数と等しいビット数が選択された場合、これらの区別をより容易にするため、上り共有データチャネル情報に、たとえば、「０」ビットを追加しても良い。
【００２５】
上記の通信制御方法によれば、ユーザ数かつ／またはトラフィック量に基づいて、下りリンク共有データチャネル情報を送信するのに利用するビット数が選択される。たとえば、ユーザ数が多い場合は、ビット数として、必要なビット数が少ない上りリンク共有データチャネル情報の送信に適したビット数が選択される。この場合、下りリンク共有データチャネル情報の送信に適したビット数を使用する必要がないので、制御チャネルに含まれる情報のビット数の種類が低減されることとなる。したがって、ユーザ数が多い、かつ／またはトラフィック量が多い場合に、移動局における各情報を特定する負担が低減される。
【図面の簡単な説明】
【００２６】
【図１】本発明による基地局の構成を示す概略ブロック図
【図２】本発明による通信方法を示すフローチャート
【符号の説明】
【００２７】
１０  基地局、１２  スケジューラ、１４  制御チャネル生成部、１６  バッファ、１８  符号化部、２０  変調部、２２  多重化部。
【図１】
0005069060.tif 000002
【図２】
0005069060.tif 000003